【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
利用者に着用されその身体を囲むように構成された熱適応性衣服であって、前記熱適応性衣服は、
熱適応性布地によって画定された衣服本体を備え、前記熱適応性布地は、
第１の布地層と、
１つ以上の結合継ぎ目において前記第１の布地層に結合された第２の布地層と、
前記第１の布地層及び前記第２の布地層ならびに前記１つ以上の結合継ぎ目によって画定され、これらの中に配設された複数のキャビティと、を含み、
前記第１の布地層は、第１の環境温度範囲に応答して、前記第１の布地層が第１の平均距離だけ前記第２の布地層から離されている、基本構成をとるように構成され、
前記第１の布地層は、前記第１の環境温度範囲とは別の第２の環境温度範囲に応答して、前記第１の布地層が前記第１の平均距離よりも大きな第２の平均距離だけ前記第２の布地層から離されている、山なり構成をとるように構成され、
前記第１の布地層は、第１の長さを画定する第１の材料を含み、前記第１の材料は、第１の熱膨張係数に従って前記第２の環境温度範囲内の温度変化に応答して、前記第１の長さに沿って次第に膨張するように構成され、
前記第１の布地層は、前記第１の長さに対して平行である第２の長さを画定する第２の材料を含み、前記第２の材料は、前記第１の熱膨張係数とは異なる第２の熱膨張係数に従って前記第２の環境温度範囲内の温度変化に応答して、前記第２の長さに沿って次第に膨張または収縮するように構成され、
前記第１の平均差及び第２の平均距離の差は、前記熱適応性布地の動きまたは変形の範囲に対応する、１０００μｍ／ｍ／Ｋより大きい前記第１の熱膨張係数及び前記第２の熱膨張係数との間の熱膨張係数の差（ΔＣＴＥ）に少なくとも部分的に基づいて生成される、
熱適応性衣服。
【請求項２】
前記第１の層と前記第２の層との間の前記平均距離は、前記環境温度が、前記第１の環境温度範囲との差が大きくなるほど、前記第２の温度範囲内の温度に応答して大きくなる、請求項１に記載の熱適応性衣服。
【請求項３】
前記第１の層と前記第２の層との間の前記増大した平均距離は、前記衣服本体の物理的構成による最大距離に制約される、請求項２に記載の熱適応性衣服。
【請求項４】
前記第２の環境温度範囲の前記温度は、前記第１の環境温度範囲の前記温度よりも低い、請求項１に記載の熱適応性衣服。
【請求項５】
前記第２の布地層は、第３の環境温度範囲に応答して、第２層の基本構成をとるように構成され、
前記第２の布地層は、前記第３の環境温度範囲とは別の第４の環境温度範囲に応答して、第２層の山なり構成をとるように構成される、請求項１に記載の熱適応性衣服。
【請求項６】
前記第１の材料及び前記第２の材料は、前記第１の長さ及び前記第２の長さに対して直交する、それぞれ第１の幅及び第２の幅を画定し、前記第１の幅及び前記第２の幅は、前記第２の環境温度範囲内の温度変化に応答して、実質的に同一のままである、請求項１に記載の熱適応性衣服。
【請求項７】
熱適応性布地であって、
第１の長さを画定する布地層を備え、前記布地層は、第１の温度範囲に応答して基本構成をとり、第２の温度範囲に応答して、前記布地層が前記基本構成と比較して前記第１の長さに沿って湾曲されている、山なり構成をとるように構成され、前記布地層は、
第２の長さを画定し、第１の熱膨張係数を有する第１の材料であって、前記第２の環境温度範囲内の温度変化に応答して前記第２の長さに沿って、長さを次第に増大させるように構成されている、第１の材料と、
第３の長さを画定し、前記第１の熱膨張係数とは異なる第２の熱膨張係数を有する第２の材料と、を含み、
前記第１の熱膨張係数及び前記第２の熱膨張係数は、前記熱適応性布地の前記布地層の動きまたは変形の範囲に対応する、１０００μｍ／ｍ／Ｋより大きい熱膨張係数の差（ΔＣＴＥ）を画定する、
熱適応性布地。
【請求項８】
前記第１の材料は、温度変化にそれぞれ反対方向に応答するように構成された交互のヘテロキラル部分及びホモキラル部分を含む少なくとも１つのコイル状アクチュエータを備える、請求項７に記載の熱適応性布地。
【請求項９】
前記第１の布地層は、１０℃の温度変化に応答して５％以下の面積における変化を示すように構成されている、請求項７に記載の熱適応性布地。
【請求項１０】
前記第１の材料及び前記第２の材料は、結合して、熱適応性織布地を形成する、請求項７に記載の熱適応性布地。
【請求項１１】
前記第１の材料は、前記第１の長さに沿って収縮または膨張するように構成されたコイル状アクチュエータを備える、請求項７に記載の熱適応性布地。
【請求項１２】
前記第１の材料は、平坦シートを備える、請求項７に記載の熱適応性布地。
【請求項１３】
適応性シートであって、
第１の長さを画定する第１の層を備え、前記第１の層は、第１の環境条件に応答して基本構成をとり、第２の環境条件に応答して、前記第１の層が前記基本構成と比較して前記第１の長さに沿って湾曲されている、山なり構成をとるように構成され、前記第１の層は、
第２の長さを画定し、第１の膨張係数を有する第１の材料であって、前記第２の環境条件に応答して前記第２の長さに沿って長さを変化させるように構成されている、第１の材料と、
第３の長さを画定し、前記第１の膨張係数とは異なる第２の膨張係数を有する第２の材料と、を含み、
前記第１の膨張係数及び前記第２の膨張係数は、前記適応性シートの前記層の動きまたは変形の範囲に対応する、１０００μｍ／ｍ／Ｋより大きい膨張係数の差（ΔＣＴＥ）を画定する、
適応性シート。
【請求項１４】
前記第１の環境条件は、第１の温度範囲を含み、前記第２の環境条件は、前記第１の温度範囲とは別であり前記第１の温度範囲よりも低い温度を含む第２の温度範囲を含む、請求項１３に記載の適応性シート。
【請求項１５】
前記第１の環境条件は、第１の水分範囲を含み、前記第２の環境条件は、前記第１の水分範囲とは別である第２の水分範囲を含む、請求項１３に記載の適応性シート。
【請求項１６】
前記第１の層は、少なくとも第１の方向に配設された第１の複数のナノワイヤを備え、第２の層が、前記第１の方向に対して平行ではない少なくとも第２の方向に配設された第２の複数のナノワイヤを備え、前記第１の複数のナノワイヤ及び前記第２の複数のナノワイヤは、分離構成における前記第１の複数のナノワイヤ及び前記第２の複数のナノワイヤの反射性及び吸収特性とは異なる赤外線反射性及び吸収特性を有するナノワイヤメッシュを形成するために前記基本構成において結合するように構成されており、
前記第１の複数のナノワイヤ及び前記第２の複数のナノワイヤは、前記第１の層が前記山なり構成をとるとき、前記第１の複数のナノワイヤ及び前記第２のナノワイヤが前記基本構成で結合する結合構成から前記分離構成に変化するように構成される、請求項１３に記載の熱適応性布地。
【請求項１７】
前記第１の材料及び前記第２の材料は、織布地の一部分を画定する、請求項１３に記載の適応性シート。
【請求項１８】
前記第１の材料及び前記第２の材料は、編布地の一部分を画定する、請求項１３に記載の適応性シート。
【請求項１９】
前記第１の熱膨張係数及び前記第２の熱膨張係数の少なくとも一方は、負の値である、請求項１の熱適応性衣服。
【請求項２０】
前記第２の環境条件に応答した前記山なり構成は、前記第１の環境条件の前記基本構成における前記適応性シートの厚みより少なくとも１ｍｍ大きい適応性シートの厚みを有する、請求項１３の適応性シート。